(57)【要約】【課題】  水道栓柱の場所で使用する石鹸，束子，ブラシ等は、しばしば水道栓の首にぶら下げられ、使用される。しかし、水道栓の首の部分は狭い場所であるので、そこにぶら下げておくことが出来るのは、サイズが小さい物を精々２，３個位であった。【解決手段】  本体部２と支持部８とから成る水道栓柱取付備品箱１を作り、これを水道栓柱の頭部に被せて取り付ける。本体部２は、屋根３および周囲の壁および開閉自在の扉５６を有し、内部が仕切あるいは棚により幾つかの区画に区切られており、この中に石鹸等の備品を入れる。支持部８は、本体部２の底裏面中央より下方に、水道栓柱の頭部を収容する角柱状の空間を形成するよう植立された前面上部板９，背面板１０および側面板１１より構成される。本体部２の底裏面には、物をぶら下げるフック７を設けてもよいし、側面板１１の下端には小棚１２を設けてもよい。【選択図】        図１
0003109684.tif 000002
【実用新案登録請求の範囲】
【請求項１】
屋根および周囲の壁および開閉自在の扉を有し、内部が仕切あるいは棚により幾つかの区画に区切られている本体部と、
該本体部の底裏面中央より下方に、水道栓柱の頭部を収容する角柱状の空間を形成するよう植立された前面上部板，背面板および側面板より構成された支持部とから構成され、
該支持部を水道栓柱の頭部に被せることにより水道栓柱に取り付けて使用する
ことを特徴とする水道栓柱取付備品箱。
【請求項２】
本体部の底裏面にフックを設けると共に、側面板の下端に棚奥板付きの小棚を設けたことを特徴とする請求項１記載の水道栓柱取付備品箱。
【考案の詳細な説明】
【技術分野】
【０００１】
本考案は、庭先等に設置してある水道栓柱に取り付けて使用する水道栓柱取付備品箱に関するものである。
【背景技術】
【０００２】
庭先等には、屋外の作業で汚れた手や道具を洗ったり、庭に水を撒いたりするために、水道栓柱が設置されていることが多い。
図５は、そのような水道栓柱を示す図である。図５において、３０は水道栓柱、３１はコンクリート柱、３２は水道栓、３３は洗い台、３４は網袋、３５は石鹸である。水道栓柱３０の前には、通常、洗い台３３が置いてある。図５（１）は正面図であり、図５（２）は側面図である。
水道栓柱３０は、コンクリート柱３１の上部付近の１つの面に、水道栓３２が取り付けられた構造とされている（コンクリートの代わりにプラスチックを用いたプラスチック製の水道栓柱もある。）。水道栓３２は、言うまでもなく、コンクリート柱３１の内部に埋め込まれている水道管（図示せず）と接続されている。洗い台３３は、水道栓３２から落下する水を受ける位置に配設されている。
【０００３】
水道栓柱３０からの水を利用する場合としては、前記したように種々の場合があるわけであるが、その中には、いろいろな物や道具を使用しなければならない場合がある。例えば、汚れた手を洗う場合には石鹸を使用する。
しかし、手を洗う度にいちいち家の中から石鹸を持って来たのでは面倒であり、不便である。そこで、図５（２）に示すように、石鹸３５を入れた網袋３４を水道栓３２の首にぶら下げておくことが、しばしば行われている。このようにしておくと、石鹸を必要とする場合、その場で直ぐに石鹸３５を手に取り、利用することが出来る。洗いに使用する束子やブラシにしても、同様にぶら下げておくことが出来る。
或いは、プラスチック製の容器（例、バケツ）の中に、束子やブラシや石鹸等を入れ、水道栓柱３０の傍に置いておくことも行われている。
【考案の開示】
【考案が解決しようとする課題】
【０００４】
水道栓柱の場所で使用する物や道具を水道栓の首にぶら下げておくと、水道栓柱の正面から殆ど移動することなく、手に取って使うことが出来て便利である。しかし、水道栓の首の部分は狭い場所であるので、そこにぶら下げておくことが出来るのは、サイズが小さい物を精々２，３個だけであるという問題点があった。手近に置いておきたい物は、他にもいろいろあるのである。
【０００５】
他方、バケツ等の容器に入れて傍に置いておくやり方では、容器を大きなものとすれば多くの物や道具を入れておくことが出来るものの、大きければ大きい程、容器の中はごちゃ混ぜ状態がひどくなり、必要とするものが直ぐには取り出せないという問題点があった。また、容器に蓋がない場合には、中に入れてある物や道具は、やがて埃だらけになってしまうという問題点もあった。更に、水道栓柱の傍というのは、いろいろな作業をする際に貴重な場所であるが、そこを備品の容器が常時占めているということは、作業能率上好ましいことではないという問題点もあった。
本考案は、以上のような問題点を解決することを課題とするものである。
【課題を解決するための手段】
【０００６】
前記課題を解決するため、本考案では、屋根および周囲の壁および開閉自在の扉を有し、内部が仕切あるいは棚により幾つかの区画に区切られている本体部と、該本体部の底裏面中央より下方に、水道栓柱の頭部を収容する角柱状の空間を形成するよう植立された前面上部板，背面板および側面板より構成された支持部とから構成される水道栓柱取付備品箱を提供することとした。この水道栓柱取付備品箱は、前記支持部を水道栓柱の頭部に被せることにより水道栓柱に取り付けられ、使用される。
なお、前記した水道栓柱取付備品箱の本体部の底裏面にフックを設けると共に、側面板の下端に棚奥板付きの小棚を設ける構成としてもよい。
【考案の効果】
【０００７】
本考案によれば、水道栓柱を利用して作業等をする場合に使う多くの備品を入れた水道栓柱取付備品箱を、水道栓柱の頭部に取り付けておくことが出来る。そうすると、備品を直ちに取り出し可能な状態で水道栓柱の手近に置いておくことが出来るので、水道栓柱での作業が、効率よく便利に行うことが出来るようになる。また、備品は、周囲が壁で囲まれ屋根も付いている区画内に保管されることとなるので、埃まみれになることもない。そして、水道栓柱の上空に設置するので、水道栓柱の周囲という貴重なスペースを、常時占めてしまうこともない。
【考案を実施するための最良の形態】
【０００８】
以下、本考案の実施形態を図面に基づいて詳細に説明する。
図１は、本考案の水道栓柱取付備品箱を示す図である。図１において、１は水道栓柱取付備品箱、２は本体部、３は屋根、４は摘み、５は扉、６は蝶番、７はフック、８は支持部、９は前面上部板、１０は背面板、１１は側面板、１２は小棚、１３は棚奥板である。図１（１）は正面図、図１（２）は側面図である。
水道柱取付備品箱１は、大きく分けて本体部２と支持部８とから構成されている。本体部２は、水道栓柱で作業をする場合に使用する物や道具（いわば水道栓柱の備品）を入れておく部分である。支持部８は、水道栓柱の頭部に装着して本体部２を支持する部分である。
【０００９】
本体部２は、中に種々の備品が納められるように屋根３および壁で囲われ、正面には扉５が設けられている。扉５の一方の側辺には蝶番６が付けられており、扉５は摘み４をつまんで開閉することが出来る。屋根３は、平坦であっても良いし、図示する如く丸屋根であっても良い。本体部２の底の裏面には、必要に応じてフック７を設けることが出来る。このフック７は、何かをぶら下げたりするのに使用される。
【００１０】
支持部８は、前面上部板９，背面板１０および側面板１１で構成される。この３つの板で囲われた角柱状の空間に、水道栓柱の頭部をすっぽりと入れることにより、水道栓柱に水道柱取付備品箱１を装着し、支持する。従って、これらの板の幅は水道栓柱の幅に対応させ、それよりやや大となるよう定められる。また、これらの板の上下方向の長さは、支持するのに十分な長さ、言い換えれば、本体部２に横方向ないしは上方向にちょっと力が加わった程度では、水道栓柱から外れたりしないような長さにされる。ただ、前面上部板９の上下方向の長さは、背面板１０，側面板１１に比べて短くされる。その理由は、水道栓柱の正面の上部付近には水道栓が取り付けられている（図５参照）ので、長くても頭部から水道栓のところまでの長さとせざるを得ないからである。
側面板１１の下端には、必要に応じて小棚１２を設けることが出来る。小棚１２は、側面板１１から側方に延設され、水道栓柱の前での作業中に使用する小物（例、石鹸）を、一時的に置いたりするのに利用することが出来る。棚奥板１３は、小棚１２の奥に設けられた板であり、小棚１２に置いた物が後方に滑って落ちるのを防止するためのものである。
【００１１】
図２は、本考案の水道栓柱取付備品箱を水道栓柱へ装着する要領を示す図であり、符号は図１，図５のものに対応している。水道栓柱３０の頭部に、水道栓柱取付備品箱１を被せるわけであるが、支持部８の前面上部板９，背面板１０，側面板１１で囲われた空間に、水道栓柱３０の頭部が入るようにゆっくりと被せる。
図３は、そのようにして水道栓柱への装着が完了した状態を示す図である。符号は図２のものに対応し、１４はブラシである。水道栓柱取付備品箱１は、水道栓柱３０の頭部にしっかりと装着されている。フック７には、ブラシ１４をぶら下げたりすることが出来るし、小棚１２には石鹸３５を置いたりすることが出来る。
【００１２】
図４は、本考案の水道栓柱取付備品箱の内部の状況を示す図である。符号は図１のものに対応し、１５は洗剤、１６は仕切、１７はタオル、１８は棚、１９はスポンジ、２０はコップである。内部は、縦方向の仕切１６や横方向の棚１８を任意の数設け、幾つかの区画を作っておくことが出来る（図示した例では、仕切と棚を１つづつ設けている。）。各区画には、洗剤１５，タオル１７，スポンジ１９，コップ２０等といったように、種類を決めて入れておくことが出来るので、探す手間をかけることなく直ちに取り出すことが出来る。洗剤等の容器には背の高いものがあるが、屋根３を丸屋根にしておくと、天井の高い区画を作ることが出来、そのような背の高い容器でも容易に入れることが出来る。
【００１３】
以上のような水道栓柱取付備品箱１を水道栓柱３０の頭部に取り付けておくと、多くの備品を、直ちに取り出し可能な状態で水道栓柱３０の手近に置いておくことが出来るので、水道栓柱３０での作業が便利になる。また、備品は、周囲が壁で囲まれ屋根３も付いている区画内に保管されることとなるので、埃まみれになることもない。
【図面の簡単な説明】
【００１４】
【図１】本考案の水道栓柱取付備品箱を示す図
【図２】本考案の水道栓柱取付備品箱を水道栓柱へ装着する要領を示す図
【図３】水道栓柱への装着完了後の状態を示す図
【図４】本考案の水道栓柱取付備品箱の内部の状況を示す図
【図５】水道栓柱を示す図
【符号の説明】
【００１５】
１…水道栓柱取付備品箱、２…本体部、３…屋根、４…摘み、５…扉、６…蝶番、７…フック、８…支持部、９…前面上部板、１０…背面板、１１…側面板、１２…小棚、１３…棚奥板、１４…ブラシ、１５…洗剤、１６…仕切、１７…タオル、１８…棚、１９…スポンジ、２０…コップ、３０…水道栓柱、３１…コンクリート柱、３２…水道栓、３３…洗い台、３４…網袋、３５…石鹸
【図１】
0003109684.tif 000003
【図２】
0003109684.tif 000004
【図３】
0003109684.tif 000005
【図４】
0003109684.tif 000006
【図５】
0003109684.tif 000007